(57)【要約】【課題】折り畳んだ状態を維持し、容易に持ち運ぶことができるハウス玩具を得る。【解決手段】側壁部材１２には側壁部材１２を略２等分する第１折畳線１４が形成され、底部材１０２の第１折畳線１４の延長線上の位置には底部材１０２を略２等分する第２折畳線１１０が形成され、折り畳み時には、側壁部材１２又は底部材１０２の一方側を他方側に寄せて閉じるとともに側壁部材１２及び底部材１０２が第１折畳線１４及び第２折畳線１１０に沿ってそれぞれ折り畳まれ、側壁部材１２には折り畳み状態を維持する固定部材２８が設けられ、側壁部材１２には持ち運ぶときに把持する把持部材３０、８４が設けられている構成とした。【選択図】      図１
2005137818.tif 000002
【特許請求の範囲】
【請求項１】
折り畳み式のハウス玩具であって、
折り畳み状態を維持する固定部材と、
持ち運ぶときに把持する把持部材と、
を有することを特徴とするハウス玩具。
【請求項２】
側壁を構成する側壁部材と、前記側壁部材と接続し展開時に前記側壁部材を支持する底部材と、を有する折り畳み式のハウス玩具であって、
前記側壁部材には前記側壁部材を略２等分する第１折畳線が形成され、前記底部材の前記第１折畳線の延長線上の位置には前記底部材を略２等分する第２折畳線が形成され、折り畳み時には、前記側壁部材又は前記底部材の一方側を他方側に寄せて閉じるとともに前記側壁部材及び前記底部材が前記第１折畳線及び前記第２折畳線に沿ってそれぞれ折り畳まれ、
前記側壁部材には折り畳み状態を維持する固定部材が設けられ、
前記側壁部材には持ち運ぶときに把持する把持部材が設けられていることを特徴とするハウス玩具。
【請求項３】
前記側壁部材には開閉扉が開閉可能に設けられ、前記開閉扉には単数又は複数のスリットが形成されていることを特徴とする請求項２に記載のハウス玩具。
【請求項４】
前記開閉扉は、前記側壁部材に形成された開口部の開口縁に開閉可能に設けられた左側扉と、前記開口部の開口縁に開閉可能に設けられた右側扉と、で構成され、
前記左側扉と前記右側扉とにより前記開口部を塞ぎ又は開放し、
前記左側扉及び前記右側扉は、前記側壁部材又は前記底部材と比較して厚めに形成されていることを特徴とする請求項３に記載のハウス玩具。
【請求項５】
前記左側扉又は前記右側扉の内部には、前記左側扉と前記右側扉とが前記開口部を塞いだ状態を維持するロック部材が収納されていることを特徴とする請求項４に記載のハウス玩具。
【請求項６】
前記左側扉及び前記右側扉は、前記底部材から離間した位置に設けられていることを特徴とする請求項４又は５に記載のハウス玩具。
【請求項７】
展開時に、前記側壁部材が前記底部材側と反対側に倒れることを防止する第１補強部材が設けられていることを特徴とする請求項２乃至６のいずれか１項に記載のハウス玩具。
【請求項８】
前記側壁部材の底部材側には折り畳み式の棚部材が設けられており、
前記棚部材には、前記棚部材が展開した状態を支持する第２補強部材が設けられていることを特徴とする請求項２乃至７のいずれか１項に記載のハウス玩具。
【請求項９】
前記底部材には中心が前記第２折畳線上に位置するように折り畳み式のテーブル部材が設けられていることを特徴とする請求項２乃至８のいずれか１項に記載のハウス玩具。
【請求項１０】
前記側壁部材には単数又は複数の窓孔が形成されており、
前記窓孔を形成するときに前記側壁部材から取り除いた窓孔形成部材を切り抜いて遊技に用いる遊技物を形成することを特徴とする請求項２乃至９のいずれか１項に記載のハウス玩具。
【請求項１１】
前記側壁部材の内壁には強度を向上させるための第３補強部材が取り付けられており、
前記第３補強部材の一部を切り抜いて遊技に用いる遊技物を形成することを特徴とする請求項２乃至１０のいずれか１項に記載のハウス玩具。
【請求項１２】
前記側壁部材には折り畳み式の屋根部材が接続されており、
前記屋根部材には前記屋根部材が展開した状態を支持する第４補強部材が設けられていることを特徴とする請求項２乃至１１のいずれか１項に記載のハウス玩具。
【請求項１３】
前記ハウス玩具の折り畳み状態では、前記底部材又は前記屋根部材の少なくとも一方は、前記側壁部材の前記第１折畳線を基準として一方側と他方側との間に収納されることを特徴とする請求項２乃至１２のいずれか１項に記載のハウス玩具。
【請求項１４】
前記側壁部材が前記第１折畳線に沿って折り畳まれることに連動して前記底部材が前記第２折畳線に沿って折り畳まれ、前記底部材が前記第２折畳線に沿って折り畳まれることに連動して前記側壁部材が前記第１折畳線に沿って折り畳まれることを特徴とする請求項２乃至１３のいずれか１項に記載のハウス玩具。
【請求項１５】
前記屋根部材には前記屋根部材を略２等分する第３折畳線が形成され、
前記側壁部材が前記第１折畳線に沿って折り畳まれることに連動して前記屋根部材が前記第３折畳線に沿って折り畳まれ、前記屋根部材が前記第３折畳線に沿って折り畳まれることに連動して前記側壁部材が前記第１折畳線に沿って折り畳まれることを特徴とする請求項１２乃至１４のいずれか１項に記載のハウス玩具。
【請求項１６】
前記底部材の幅寸法は、前記側壁部材の幅寸法以下に設定されていることを特徴とする請求項２乃至１５のいずれか１項に記載のハウス玩具。
【請求項１７】
前記ハウス玩具は、段ボールで構成されていることを特徴とする請求項１乃至１６のいずれか１項に記載のハウス玩具。
【発明の詳細な説明】
【技術分野】
【０００１】
本発明は、折り畳み式のハウス玩具に関する。
【背景技術】
【０００２】
従来のハウス玩具は、下記各特許文献に記載されているように、いわゆる折り畳み式のものが知られている。これらのハウス玩具を展開させると、様々なパーツが飛び出すように構成されており、遊技を楽しむことができる。一方、遊技の終了時には、ハウス玩具を折り畳むことにより、コンパクトな大きさにすることができ、収納性を向上させることができる。
【０００３】
【特許文献１】実開平４−７００９９号公報
【特許文献２】実開平４−３２８００号公報
【特許文献３】実開平３−５３３００号公報
【発明の開示】
【発明が解決しようとする課題】
【０００４】
ところで、上記ハウス玩具は折り畳んだ状態を維持させることができず、すぐに開いてしまうことがあった。これにより、ハウス玩具で遊技するときの部品を紛失してしまう問題があった。
また、ハウス玩具を折り畳んだ状態で、ハウス玩具を持ち運ぶことが困難であった。特に、ハウス玩具で遊技する比較的小さな子供にとってはハウス玩具の持ち運びは非常に困難であった。
【０００５】
そこで、本発明は、上記事情を考慮し、折り畳んだ状態を維持し、容易に持ち運ぶことができるハウス玩具を提供することを目的とする。
【課題を解決するための手段】
【０００６】
請求項１に記載の発明は、折り畳み式のハウス玩具であって、折り畳み状態を維持する固定部材と、持ち運ぶときに把持する把持部材と、を有することを特徴とする。
【０００７】
請求項１に記載の発明によれば、ハウス玩具の折り畳み状態を固定部材により維持することができる。固定部材により折り畳み状態を維持した状態で、把持部材を把持することにより持ち運ぶことができる。このように、固定部材により折り畳み状態を維持し、かつ把持部材によりハウス玩具を持ち運べる構成にしたことにより、ハウス玩具の持ち運びを容易することができる。特に、比較的小さな子供でもハウス玩具を難なく持ち運ぶことができる。
【０００８】
請求項２に記載の発明は、側壁を構成する側壁部材と、前記側壁部材と接続し展開時に前記側壁部材を支持する底部材と、を有する折り畳み式のハウス玩具であって、前記側壁部材には前記側壁部材を略２等分する第１折畳線が形成され、前記底部材の前記第１折畳線の延長線上の位置には前記底部材を略２等分する第２折畳線が形成され、折り畳み時には、前記側壁部材又は前記底部材の一方側を他方側に寄せて閉じるとともに前記側壁部材及び前記底部材が前記第１折畳線及び前記第２折畳線に沿ってそれぞれ折り畳まれ、前記側壁部材には折り畳み状態を維持する固定部材が設けられ、前記側壁部材には持ち運ぶときに把持する把持部材が設けられていることを特徴とする。
【０００９】
請求項２に記載の発明によれば、ハウス玩具の折り畳み時には、側壁部材又は底部材の一方側を他方側に寄せて閉じるとともに側壁部材及び底部材が第１折畳線及び第２折畳線に沿ってそれぞれ折り畳まれる。この折り畳まれた状態を固定部材により維持し、把持部材を把持することによりハウス玩具を持ち運ぶことができる。これにより、ハウス玩具を容易に持ち運ぶことができ、特に、比較的小さな子供でもハウス玩具を難なく持ち運ぶことができる。
また、側壁部材は略２等分する位置の第１折畳線に沿って折り畳まれ、また、底部材は略２等分する第２折畳線に沿って折り畳まれ、かつ第２折畳線が第１折畳線の延長線上に位置しているため、ハウス玩具をいわゆるシンメトリとなる位置で折り畳むことができる。この結果、折り畳んだ状態において側壁部材の第１折畳線を基準として一方側が他方側に対してはみ出ることがなく、ハウス玩具の持ち運びをさらに容易にすることができる。また、ハウス玩具の折り畳んだ状態の意匠性を向上させることができる。
【００１０】
請求項３に記載の発明は、請求項２に記載のハウス玩具において、前記側壁部材には開閉扉が開閉可能に設けられ、前記開閉扉には単数又は複数のスリットが形成されていることを特徴とする。
【００１１】
請求項３に記載の発明によれば、側壁部材に開閉可能に設けられた開閉扉には、単数又は複数のスリットが形成されているため、このスリットを通して遊技者の見通しを良くすることができる。すなわち、ハウス玩具の内部にいる遊技者はハウス玩具の外部にいる人をスリットを通して確認することができ、また、ハウス玩具の外部にいる人はハウス玩具の内部にいる遊技者をスリットを通して確認することができる。この結果、ハウス玩具の内部にいる遊技者とハウス玩具の外部にいる人とがお互いを確認することができる。
【００１２】
請求項４に記載の発明は、請求項３に記載のハウス玩具において、前記開閉扉は、前記側壁部材に形成された開口部の開口縁に開閉可能に設けられた左側扉と、前記開口部の開口縁に開閉可能に設けられた右側扉と、で構成され、前記左側扉と前記右側扉とにより前記開口部を塞ぎ又は開放し、前記左側扉及び前記右側扉は、前記側壁部材又は前記底部材と比較して厚めに形成されていることを特徴とする。
【００１３】
請求項４に記載の発明によれば、左側扉と右側扉とで開口部を塞ぎ又は開放することができる。ここで、左側扉及び右側扉は、側壁部材又は底部材と比較して厚めに形成されているため、左側扉及び右側扉の強度を向上させることができる。これにより、遊技者が左側扉又は右側扉を頻繁に開閉した場合でも、左側扉又は右側扉が破損することを防止できる。
【００１４】
請求項５に記載の発明は、請求項４に記載のハウス玩具において、前記左側扉又は前記右側扉の内部には、前記左側扉と前記右側扉とが前記開口部を塞いだ状態を維持するロック部材が収納されていることを特徴とする。
【００１５】
請求項５に記載の発明によれば、左側扉又は右側扉を比較的厚めにしたことにより、その内部にロック部材を収納することができる。このロック部材により、左側扉と右側扉とが開口部を塞いだ状態を維持することができる。
【００１６】
請求項６に記載の発明は、請求項４又は５に記載のハウス玩具において、前記左側扉及び前記右側扉は、前記底部材から離間した位置に設けられていることを特徴とする。
【００１７】
請求項６に記載の発明によれば、左側扉及び右側扉は底部材から離間した位置に設けられているため、開閉時に左側扉又は右側扉が底部材に接触することがなく、開閉動作を円滑に行うことができる。
【００１８】
請求項７に記載の発明は、請求項２乃至６のいずれか１項に記載のハウス玩具において、展開時に、前記側壁部材が前記底部材側と反対側に倒れることを防止する第１補強部材が設けられていることを特徴とする。
【００１９】
請求項７に記載の発明によれば、第１補強部材が設けられているため、ハウス玩具の展開時に側壁部材が底部材側と反対側に倒れることを防止することができる。
【００２０】
請求項８に記載の発明は、請求項２乃至７のいずれか１項に記載のハウス玩具において、前記側壁部材の底部材側には折り畳み式の棚部材が設けられており、前記棚部材には、前記棚部材が展開した状態を支持する第２補強部材が設けられていることを特徴とする。
【００２１】
請求項８に記載の発明によれば、第２補強部材により棚部材の展開した状態が支持される。これにより、棚部材に強度を持たせることができ、遊技中に棚部材が折り畳んだ状態になってしまうことを防止することができる。
【００２２】
請求項９に記載の発明は、請求項２乃至８のいずれか１項に記載のハウス玩具において、前記底部材には中心が前記第２折畳線上に位置するように折り畳み式のテーブル部材が設けられていることを特徴とする。
【００２３】
請求項９に記載の発明によれば、中心が第２折畳線上に位置するように折り畳み式のテーブル部材が設けられているため、底部材にテーブル部材を設けた場合でもハウス玩具を折り畳み易くすることができる。
【００２４】
請求項１０に記載の発明は、請求項２乃至９のいずれか１項に記載のハウス玩具において、前記側壁部材には単数又は複数の窓孔が形成されており、前記窓孔を形成するときに前記側壁部材から取り除いた窓孔形成部材を切り抜いて遊技に用いる遊技物を形成することを特徴とする。
【００２５】
請求項１０に記載の発明によれば、側壁部材には単数又は複数の窓孔が形成されており、窓孔を形成するときに側壁部材から取り除いた窓孔形成部材を切り抜いて遊技に用いる遊技物を形成することにより、不要な窓孔形成部材を有効に活用することができる。これにより、製造コストを低減することができる。また、ハウス玩具の折り畳み状態では、遊技物を窓孔形成部材とともに窓孔に嵌め込むことにより、遊技物が紛失してしまうことを防止できる。
【００２６】
請求項１１に記載の発明は、請求項２乃至１０のいずれか１項に記載のハウス玩具において、前記側壁部材の内壁には強度を向上させるための第３補強部材が取り付けられており、前記第３補強部材の一部を切り抜いて遊技に用いる遊技物を形成することを特徴とする。
【００２７】
請求項１１に記載の発明によれば、側壁部材の内壁には強度を向上させるための第３補強部材が取り付けられており、第３補強部材の一部を切り抜いて遊技に用いる遊技物を形成することにより、第３補強部材を有効に活用することができる。これにより、製造コストを低減することができる。また、ハウス玩具の折り畳み状態では、遊技物を第３補強部材に嵌め込むことにより、遊技物が紛失してしまうことを防止できる。
【００２８】
請求項１２に記載の発明は、請求項２乃至１１のいずれか１項に記載のハウス玩具において、前記側壁部材には折り畳み式の屋根部材が接続されており、前記屋根部材には前記屋根部材が展開した状態を支持する第４補強部材が設けられていることを特徴とする。
【００２９】
請求項１２に記載の発明によれば、第４補強部材により屋根部材の展開した状態が支持される。これにより、屋根部材に強度を持たせることができ、遊技中に屋根部材が折り畳んだ状態になってしまうことを防止することができる。
【００３０】
請求項１３に記載の発明は、請求項２乃至１２のいずれか１項に記載のハウス玩具において、前記ハウス玩具の折り畳み状態では、前記底部材又は前記屋根部材の少なくとも一方は、前記側壁部材の前記第１折畳線を基準として一方側と他方側との間に収納されることを特徴とする。
【００３１】
請求項１３に記載の発明によれば、ハウス玩具の折り畳み状態では、底部材又は屋根部材の少なくとも一方が側壁部材の第１折畳線を基準として一方側と他方側との間に収納される。このため、ハウス玩具の折り畳み状態において、底部材又は屋根部材の少なくとも一方が側壁部材からはみ出ることがなく、折り畳み状態のハウス玩具の形状をコンパクトにすることができる。この結果、ハウス玩具を持ち運び易くすることができ、ハウス玩具の運搬性を向上させることができる。また、ハウス玩具がコンパクトな形状になるため、比較的狭く限られたスペースにハウス玩具を収納することができ、ハウス玩具の収納性も向上させることができる。
【００３２】
請求項１４に記載の発明は、請求項２乃至１３のいずれか１項に記載のハウス玩具において、前記側壁部材が前記第１折畳線に沿って折り畳まれることに連動して前記底部材が前記第２折畳線に沿って折り畳まれ、前記底部材が前記第２折畳線に沿って折り畳まれることに連動して前記側壁部材が前記第１折畳線に沿って折り畳まれることを特徴とする。
【００３３】
請求項１４に記載の発明によれば、ハウス玩具を折り畳むときには、側壁部材が第１折畳線に沿って折り畳まれることに連動して底部材が第２折畳線に沿って折り畳まれ、底部材が第２折畳線に沿って折り畳まれることに連動して側壁部材が第１折畳線に沿って折り畳まれるため、折り畳み作業が容易になる。これにより、特に小さな子供にとってもハウス玩具を容易に折り畳むことができる。
【００３４】
請求項１５に記載の発明は、請求項１２乃至１４のいずれか１項に記載のハウス玩具において、前記屋根部材には前記屋根部材を略２等分する第３折畳線が形成され、前記側壁部材が前記第１折畳線に沿って折り畳まれることに連動して前記屋根部材が前記第３折畳線に沿って折り畳まれ、前記屋根部材が前記第３折畳線に沿って折り畳まれることに連動して前記側壁部材が前記第１折畳線に沿って折り畳まれることを特徴とする。
【００３５】
請求項１５に記載の発明によれば、ハウス玩具を折り畳むときには、側壁部材が第１折畳線に沿って折り畳まれることに連動して屋根部材が第３折畳線に沿って折り畳まれ、屋根部材が第３折畳線に沿って折り畳まれることに連動して側壁部材が第１折畳線に沿って折り畳まれるため、折り畳み作業が容易になる。これにより、特に小さな子供にとってもハウス玩具を容易に折り畳むことができる。
【００３６】
請求項１６に記載の発明は、請求項２乃至１５のいずれか１項に記載のハウス玩具において、前記底部材の幅寸法は、前記側壁部材の幅寸法以下に設定されていることを特徴とする。
【００３７】
請求項１６に記載の発明によれば、底部材の幅寸法が側壁部材の幅寸法以下に設定されているため、ハウス玩具の折り畳み状態において、底部材が側壁部材からはみ出ることがない。これにより、ハウス玩具の折り畳み状態の意匠性を向上させることができる。
【００３８】
請求項１７に記載の発明は、請求項１乃至１６のいずれか１項に記載のハウス玩具において、前記ハウス玩具は、段ボールで構成されていることを特徴とする。
【００３９】
請求項１７に記載の発明によれば、ハウス玩具を段ボールで構成することにより、ハウス玩具の強度を向上させることができるとともに製造コストを低減することができる。
【発明の効果】
【００４０】
請求項１に記載の発明は、固定部材により折り畳み状態を維持し、かつ把持部材によりハウス玩具を持ち運べる構成にしたことにより、ハウス玩具の持ち運びを容易することができる。特に、比較的小さな子供でもハウス玩具を難なく持ち運ぶことができる。
【００４１】
請求項２に記載の発明は、ハウス玩具の折り畳み時には、側壁部材又は底部材の一方側を他方側に寄せて閉じるとともに側壁部材及び底部材が第１折畳線及び第２折畳線に沿ってそれぞれ折り畳まれる。この折り畳まれた状態を固定部材により維持し、把持部材を把持することによりハウス玩具を持ち運ぶことができる。これにより、ハウス玩具を容易に持ち運ぶことができ、特に、比較的小さな子供でもハウス玩具を難なく持ち運ぶことができる。
また、側壁部材は略２等分する位置の第１折畳線に沿って折り畳まれ、また、底部材は略２等分する第２折畳線に沿って折り畳まれ、かつ第２折畳線が第１折畳線の延長線上に位置しているため、ハウス玩具をいわゆるシンメトリとなる位置で折り畳むことができる。この結果、折り畳んだ状態において側壁部材の第１折畳線を基準として一方側が他方側に対してはみ出ることがなく、ハウス玩具の持ち運びをさらに容易にすることができる。また、ハウス玩具の折り畳んだ状態の意匠性を向上させることができる。
【００４２】
請求項３に記載の発明は、側壁部材に開閉可能に設けられた開閉扉には、単数又は複数のスリットが形成されているため、このスリットを通して遊技者の見通しを良くすることができる。
【００４３】
請求項４に記載の発明は、左側扉及び右側扉が側壁部材又は底部材と比較して厚めに形成されているため、左側扉及び右側扉の強度を向上させることができる。これにより、遊技者が左側扉又は右側扉を頻繁に開閉した場合でも、左側扉又は右側扉が破損することを防止できる。
【００４４】
請求項５に記載の発明は、左側扉又は右側扉を比較的厚めにしたことにより、その内部にロック部材を収納することができる。このロック部材により、左側扉と右側扉とが開口部を塞いだ状態を維持することができる。
【００４５】
請求項６に記載の発明は、左側扉及び右側扉は底部材から離間した位置に設けられているため、開閉時に左側扉又は右側扉が底部材に接触することがなく、開閉動作を円滑に行うことができる。
【００４６】
請求項７に記載の発明は、第１補強部材が設けられているため、ハウス玩具の展開時に側壁部材が底部材側と反対側に倒れることを防止することができる。
【００４７】
請求項８に記載の発明は、第２補強部材により棚部材の展開した状態が支持される。これにより、棚部材に強度を持たせることができ、遊技中に棚部材が折り畳んだ状態になってしまうことを防止することができる。
【００４８】
請求項９に記載の発明は、中心が第２折畳線上に位置するように折り畳み式のテーブル部材が設けられているため、底部材にテーブル部材を設けた場合でもハウス玩具を折り畳み易くすることができる。
【００４９】
請求項１０に記載の発明は、側壁部材には単数又は複数の窓孔が形成されており、窓孔を形成するときに側壁部材から取り除いた窓孔形成部材を切り抜いて遊技に用いる遊技物を形成することにより、不要な窓孔形成部材を有効に活用することができる。これにより、製造コストを低減することができる。また、ハウス玩具の折り畳み状態では、遊技物を窓孔形成部材とともに窓孔に嵌め込むことにより、遊技物が紛失してしまうことを防止できる。
【００５０】
請求項１１に記載の発明は、側壁部材の内壁には強度を向上させるための第３補強部材が取り付けられており、第３補強部材の一部を切り抜いて遊技に用いる遊技物を形成することにより、第３補強部材を有効に活用することができる。これにより、製造コストを低減することができる。また、ハウス玩具の折り畳み状態では、遊技物を第３補強部材に嵌め込むことにより、遊技物が紛失してしまうことを防止できる。
【００５１】
請求項１２に記載の発明は、第４補強部材により屋根部材の展開した状態が支持される。これにより、屋根部材に強度を持たせることができ、遊技中に屋根部材が折り畳んだ状態になってしまうことを防止することができる。
【００５２】
請求項１３に記載の発明は、ハウス玩具の折り畳み状態において底部材又は屋根部材の少なくとも一方が側壁部材からはみ出ることがなく、折り畳み状態のハウス玩具の形状をコンパクトにすることができるため、ハウス玩具を持ち運び易くすることができ、ハウス玩具の運搬性を向上させることができる。また、ハウス玩具がコンパクトな形状になるため、比較的狭く限られたスペースにハウス玩具を収納することができ、ハウス玩具の収納性も向上させることができる。
【００５３】
請求項１４に記載の発明は、ハウス玩具を折り畳むときには、側壁部材が第１折畳線に沿って折り畳まれることに連動して底部材が第２折畳線に沿って折り畳まれ、底部材が第２折畳線に沿って折り畳まれることに連動して側壁部材が第１折畳線に沿って折り畳まれるため、折り畳み作業が容易になる。これにより、特に小さな子供にとってもハウス玩具を容易に折り畳むことができる。
【００５４】
請求項１５に記載の発明は、ハウス玩具を折り畳むときには、側壁部材が第１折畳線に沿って折り畳まれることに連動して屋根部材が第３折畳線に沿って折り畳まれ、屋根部材が第３折畳線に沿って折り畳まれることに連動して側壁部材が第１折畳線に沿って折り畳まれるため、折り畳み作業が容易になる。これにより、特に小さな子供にとってもハウス玩具を容易に折り畳むことができる。
【００５５】
請求項１６に記載の発明は、底部材の幅寸法が側壁部材の幅寸法以下に設定されているため、ハウス玩具の折り畳み状態において、底部材が側壁部材からはみ出ることがない。これにより、ハウス玩具の折り畳み状態の意匠性を向上させることができる。
【００５６】
請求項１７に記載の発明は、ハウス玩具を段ボールで構成することにより、ハウス玩具の強度を向上させることができるとともに製造コストを低減することができる。
【発明を実施するための最良の形態】
【００５７】
次に、本発明の一実施形態に係るハウス玩具について、図面を参照して説明する。
【００５８】
図１、図２、図４及び図８に示すように、ハウス玩具１０は、略長方形状の側壁部材１２を備えている。側壁部材１２には、長手方向に延びる上側端部１２Ａ及び下側端部１２Ｂの略中央部同士を結ぶ第１折畳線１４が形成されている。側壁部材１２の第１折畳線１４を基準として一方側に位置する第１側壁部１６には、複数の窓孔１８が形成されている。この窓孔１８は、第１側壁部１６をくり抜いて形成されている。第１側壁部１６をくり抜くことにより、第１側壁部１６から窓孔形成部材２０が取り除かれる。窓孔形成部材２０には、遊技時に後述のテーブル部材１２２の上に載置する円形の皿２２（遊技物）が切り抜かれている。
【００５９】
第１側壁部１６の側端部１６Ａの上部及び下部には、補強代２４、２６がそれぞれ形成されている。この補強代２４、２６が第１側端部１６の裏面側から表側に折り曲げられて接着剤により固定されている。これにより、第１側壁部１６の側端部の強度を向上させることができる。また、第１側壁部１６の側端部１６Ａであって補強代２４、２６の間には、第２側壁部５０に固定される固定部材２８が形成されている。さらに、固定部材２８の内側には、持ち運ぶときに把持する把持部材３０が形成されている。
【００６０】
また、図１及び図１０に示すように、第１側壁部１６の裏面側には、窓孔１８を補強するための窓枠３２が接着剤により取り付けられている。また、図１及び図９に示すように、第１側壁部の裏面側には、棚部材３４が取り付けられている。この棚部材３４は、折り畳み可能となるように構成されている。また、棚部材３４には、棚部材３４の展開時の状態を支持するための補強部材３６（第２補強部材）が形成されている。この補強部材３６は、棚部材３４の展開時に棚部材３４と第１側壁部１６との間に入り込むことにより、棚部材３４を補強している。なお、ハウス玩具１０の折り畳み時には、この補強部材３６が棚部材２４と第１側壁部１６との間から抜き出される。
また、棚部材３４には切り込みが施されて切込片３８が形成されており、この切込片３８が第１側壁部１６に接着剤により取り付けられている。このため、切込片３８は、遊技時において水平台として機能し、水平台の上面に上記した皿２２が載置可能となっている。さらに、棚部材３４には、２つの開口孔（図示省略）が形成されており、この開口孔を塞ぐように２つの小扉４０がそれぞれ設けられている。
【００６１】
一方、図１、図２、図３及び図８に示すように、側壁部材１２の第１折畳線１４を基準として他方側には第２側壁部５０が位置している。このように、第１折畳線１４は、側壁部材１２を第１側壁部１６及び第２側壁部５０に略２等分する位置に形成されている。第２側壁部５０には、入り口として機能する開口部５２が形成されている。この開口部５２の一方側の開口縁には左側扉５４（図８では図示省略）が開閉可能に取り付けられている。この左側扉５４は、第２側壁部５０の裏面側に接着剤により取り付けられる取付部５６（第３補強部材）と、取付部５６に一体形成された扉部本体５８と、で構成されており、扉部本体５８が取付部５６に対して折り曲げられる構成になっている。
また、開口部５２の他方側の開口縁には右側扉６０（図８では図示省略）が開閉可能に取り付けられている。この右側扉６０は、第２側壁部５０の裏面側に接着剤により取り付けられる取付部６２（第３補強部材）と、取付部６２に一体形成された扉部本体６４と、で構成されており、扉部本体６４が取付部６２に対して折り曲げられる構成になっている。
以上のように、左側扉５４の扉部本体５８と右側扉６０の扉部本体６４とが開口部５２を塞ぐように設けられており、各扉部本体５８、６４が各取付部５６、６２に対して折り曲げられることにより、開口部５２を開放することができる。
なお、本実施形態のハウス玩具１０では、扉の機能を有する扉部本体５８、６４と補強機能を有する取付部５６、６２とが一体形成された形態を説明したが、これに限られることはなく、別々に構成された扉部本体と取付部とが相互に接続されていてもよい。
【００６２】
また、各扉部本体５８、６４の厚みは、第２側壁部５０の厚み及び後述する底部材１０２の厚みよりも厚めに形成されている。これにより、頻繁に開閉動作が行われる各扉部本体５８、６４の強度を向上させている。
また、各扉部本体５８、６４には、複数のスリット６６、６８がそれぞれ形成されている。これにより、各扉部本体５８、６４により開口部５２を塞いだ状態でも、ハウス玩具１０の内部にいる遊技者からハウス玩具１０の外部にいる人間をスリット６６、６８を通して確認することができる。また、ハウス玩具１０の外部にいる人間からハウス玩具１０の内部にいる遊技者をスリット６６、６８を通して確認することができる。このように、常に、ハウス玩具１０の内部と外部の双方の人間がお互いを確認することができ、お互いの行動を把握することができる。
さらに、各扉部本体５８、６４のうちの一方の扉部本体５８の内部には、施錠部材７０（ロック部材）が収納されている。この施錠部材７０はスリット６６の位置に収納されており、他方の扉部本体６４に形成された貫通孔（図示省略）から他方の扉部本体６４の内部に進入できる構成になっている。これにより、施錠部材７０を一方の扉部本体５８から他方の扉部本体６４にわたって位置させることにより、各扉部本体５８、６４によって開口部５２が塞がれた状態を維持することができる。
なお、施錠部材７０には指孔７２が形成されており、施錠部材７０を移動させ易くしている。
【００６３】
また、図１に示すように、各取付部５６、６２の一部が切り抜かれて、ホーク７４、７６（遊技物）やスプーン７８、８０（遊技物）が形成されている。これらのホーク７４、７６及びスプーン７８、８０は、遊技時に各取付部５６、６２から取り外され遊技に用いられる。なお、ハウス玩具１０の折り畳み時には、ホーク７４、７６及びスプーン７８、８０は、各取付部５６、６２に装着される。
また、各取付部５６、６２は、第２側壁部５０の裏面側に取り付けられて第２側壁部５０を補強する機能も兼ねている。
【００６４】
また、図８に示すように、第２側壁部５０の側端部５０Ａには、補強代８２が形成されている。この補強代８２が第２側端部５０の裏面側から表側に折り曲げられて接着剤により固定されている。これにより、第２側壁部５０の側端部の強度を向上させることができる。また、第２側壁部５０の側端部５０Ａには、ハウス玩具１０を持ち運ぶときに把持する把持部材８４が形成されている。さらに、第２側壁部５０の補強代８２には、ハウス玩具１０の折り畳み時に、固定部材２８が挿入される挿入孔８６が形成されている。ハウス玩具１０の折り畳み時に、固定部材２８を第１側壁部１６から第２側壁部５０にわたって配置させ、さらに挿入孔８６に固定部材２８の一部を挿入することにより、ハウス玩具１０の折り畳み状態を維持することができる。これにより、ハウス玩具１０が誤って展開してしまうことを防止することができる。
【００６５】
また、図１乃至図５に示すように、第１側壁部１６及び第２側壁部５０の上側端部１２Ａには、屋根部材９０が接着剤により取り付けられている。図１１に示すように、屋根部材９０は平面視にて菱形状に形成された屋根部材本体９２と、屋根部材本体９２の各辺に一体形成された４つの装飾部９４Ａ、９４Ｂ、９４Ｃ、９４Ｄとで構成されている。各装飾部９４Ａ、９４Ｂ、９４Ｃ、９４Ｄは、各辺に沿って折り曲げが可能になっている。各装飾部９４Ａ、９４Ｂ、９４Ｃ、９４Ｄのうち、１つの装飾部９４Ｂは第１側壁部１６の上側端部１２Ａに接着剤により取り付けられ、他の１つの装飾部９４Ａは第２側壁部５０の上側端部１２Ａに接着剤により取り付けられている。また、他の１つの装飾部９４Ｄには、支持片９６（第４補強部材）が形成されており、屋根部材９０の展開時にこの支持片９６が他の１つの装飾部材９４Ｃに形成された挿入孔９８に挿入されることにより、屋根部材９０が展開した状態を支持するようになっている。これにより、遊技中に屋根部材９０が自重等により折り畳んでしまうことを防止できる。
また、屋根部材９０には、屋根部材９０の面積を略２等分するように第３折畳線１００が形成されている。この第３折畳線１００は、屋根部材本体９２の短い方の対角線と略一致しており、第１折畳線１４の延長線上となる位置に形成されている。
【００６６】
また、図１乃至図５に示すように、第１側壁部１６及び第２側壁部５０の下側端部１２Ｂには、底部材１０２が接続されている。底部材１０２には取付代１０４、１０６が形成されており、各取付代１０４、１０６が第１側壁部１６及び第２側壁部５０の表面側に接着剤により取り付けられている。また、底部材１０２には第２折畳線１１０が形成されている。この第２折畳線１１０は底部材１０２の面積を略２等分する位置に形成されており、第２折畳線１１０に沿って底部材１０２が折り畳み可能となるように構成されている。
なお、図５に示すように、底部材１０２の幅寸法Ｈは、側壁部材１２の幅寸法Ｗ以下に設定されている。これにより、ハウス玩具１０の折り畳み状態において、底部材１０２が側壁部材１２からはみ出ることがない。これにより、ハウス玩具１０の折り畳み状態の意匠性を向上させることができる。
【００６７】
また、図１に示すように、底部材１０２から第２側壁部５０にわたって支持片１２０（第１補強部材）が取り付けられている。これにより、ハウス玩具１０の展開時において、側壁部材１２が底部材１０２側と反対側に開いて倒れてしまうことを防止できる。
【００６８】
また、底部材１０２の第２折畳線１１０上には、折り畳み式のテーブル部材１２２が設けられている。このテーブル部材１２２は、その中心１３０が第２折畳線１１０上に位置するように設けられている。このため、ハウス玩具１０を折り畳むときに、テーブル部材１２２をその中心１３０に沿って折り畳むことができ、ハウス玩具１０の折畳動作を円滑に行うことが可能となる。
【００６９】
なお、上記した各扉部本体５８、６４は、底部材１０２から離間した位置に設けられており、扉部本体５８、６４の開閉動作の際に、各扉部本体５８、６４が底部材１０２と接触することがなく、開閉動作を円滑に行うことが可能となる。
【００７０】
また、本実施形態のハウス玩具１０は、全て既存の段ボールで構成されている。ハウス玩具１０を段ボールで構成することより、強度を向上させることができるとともに製造コストを低減させることができ、強度と製造コストの両立を図ることができる。
【００７１】
次に、本実施形態のハウス玩具１０の作用について説明する。
【００７２】
ハウス玩具１０を折り畳む時には、屋根部材９０を側壁部材１２の裏面側に折り畳み、さらに底部材１０２と側壁部材１２とを相互に閉じるように折り畳む。
このとき、側壁部材１２の面積を略２等分する第１折畳線１４と底部材１０２の面積を略２等分する第２折畳線１１０とが延長線上にあり、かつ展開状態において第１側壁部１６と第２側壁部５０とが平面視にて「く」の字状になってそれぞれ折り畳まれる方向に曲がっているため、底部材１０２が第２折畳線１１０に沿って折り畳まれると、これに連動して、側壁部材１２は第１折畳線１４に沿って第１側壁部１６と第２側壁部５０とが相互に閉じるように折り畳まれる。
また、側壁部材１２の面積を略２等分する第１折畳線１４と屋根部材９０の面積を略２等分する第３折畳線１００とが延長線上にあるため、上記した側壁部材１２の折り畳みに連動して、屋根部材９０が第３折畳線１００に沿って折り畳まれる。
さらに、底部材１０２が第２折畳線１１０に沿って折り畳まれるときに、テーブル部材１２２も中心１３０に沿って折り畳まれる。また、第１側壁部１６と第２側壁部５０とが相互に閉じるように折り畳まれるときに、棚部材３４も折り畳まれる。このように、ハウス玩具１０の折り畳み動作を簡易なものにすることができる。
以上のように、ハウス玩具１０が折り畳まれると、底部材１０２及び屋根部材９０が側壁部材１２に覆われるように第１側壁部１６と第２側壁部５０との間に収納されるため、これらの部材が側壁部材１２からはみ出てしまうことがない。この結果、ハウス玩具１０の折り畳み状態の形状をコンパクトにすることができハウス玩具１０の運搬性を向上できるとともに、ハウス玩具１０の意匠性を向上させることができる。
【００７３】
図６及び図７に示すように、ハウス玩具１０が折り畳まれた状態で、第１側壁部１６に設けられた固定部材２８が第２側壁部５０に形成された挿入孔８６に挿入されて、折り畳み状態が維持される。これにより、ハウス玩具１０が誤って展開してしまうことがなく、また、ハウス玩具１０の収納性を向上させることができる。
また、第１側壁部１６及び第２側壁部５０には把持部材３０、８４がそれぞれ設けられているため、ハウス玩具１０を容易に持ち運ぶことができる。特に、固定部材２８によりハウス玩具１０が折り畳まれた状態が維持されるので、ハウス玩具１０の運搬性をさらに向上させることができ、比較的小さな子供でもハウス玩具１０を容易に持ち運ぶことができる。
【００７４】
一方、ハウス玩具１０を展開するときには、固定部材２８を挿入孔８６から外して、側壁部材１２と底部材１０２とを開くように展開する。このとき、底部材１０２に設けられたテーブル部材１２２が飛び出すように展開し、その状態が維持される。また、第１側壁部１６に設けられた棚部材３４も展開し、補強部材３６を棚部材３４と第１側壁部１６との間に挿入させることにより、棚部材３４の展開した状態を維持することができる。
また、屋根部材９０の支持片９６が挿入孔９８に挿入されることにより、屋根部材９０の展開した状態が維持される。
さらに、側壁部材１２は、支持片１２０により支持されるため、遊技中において底部材１０２と反対側に倒れてしまうことを防止できる。
【００７５】
また、遊技時に使用する遊技物については、窓孔１８に嵌め込まれた窓孔形成部材２０や第２側壁部５０の裏面側に取り付けられた各取付部５６、６２の一部を利用して、皿２２、ホーク７４、７６及びスプーン７８、８０が形成されているため、これらを取り外して使用することができる。このように、遊技物を予め側壁部材１２や各取付部５６、６２に取り付けておく構成にすることにより、ハウス玩具１０の折り畳み状態において遊技物が紛失してしまうことを防止できる。
【００７６】
なお、第１側壁部１６及び第２側壁部５０の表面側に、色付けすることも可能である。この場合、色付けをオフセット印刷（フレキソ印刷）で行うことにより、ハウス玩具１０を破棄する場合に、ハウス玩具１０を構成する段ボールを再利用することができる。
【図面の簡単な説明】
【００７７】
【図１】本発明の一実施形態に係るハウス玩具が展開した状態を内側から観た図である。
【図２】本発明の一実施形態に係るハウス玩具が展開した状態を外側から観た図である。
【図３】本発明の一実施形態に係るハウス玩具が展開した状態の斜視図である。
【図４】本発明の一実施形態に係るハウス玩具が展開した状態の斜視図である。
【図５】本発明の一実施形態に係るハウス玩具が展開した状態の平面図である。
【図６】本発明の一実施形態に係るハウス玩具が折り畳まれた状態の側面図である。
【図７】本発明の一実施形態に係るハウス玩具が折り畳まれた状態の側面図である。
【図８】本発明の一実施形態に係るハウス玩具を構成する側壁部材の展開図である。
【図９】本発明の一実施形態に係るハウス玩具を構成する棚部材の展開図である。
【図１０】本発明の一実施形態に係るハウス玩具を構成する窓枠の正面図である。
【図１１】本発明の一実施形態に係るハウス玩具を構成する屋根部材の展開図である。
【符号の説明】
【００７８】
１０    ハウス玩具
１２    側壁部材
１４    第１折畳線
２８    固定部材
３０    把持部材
３４    棚部材
３６  補強部材（第２補強部材）
５２    開口部
５４    左側扉
５６    取付部（第３補強部材）
６２    取付部（第３補強部材）
６０    右側扉
６６    スリット
６８    スリット
７０    施錠部材（ロック部材）
８４    把持部材
９０    屋根部材
９６    支持片（第４補強部材）
１００  第３折畳線
１０２  底部材
１１０  第２折畳線
１２０  支持片（第１補強部材）
１２２  テーブル部材
【図１】
2005137818.tif 000003
【図２】
2005137818.tif 000004
【図３】
2005137818.tif 000005
【図４】
2005137818.tif 000006
【図５】
2005137818.tif 000007
【図６】
2005137818.tif 000008
【図７】
2005137818.tif 000009
【図８】
2005137818.tif 000010
【図９】
2005137818.tif 000011
【図１０】
2005137818.tif 000012
【図１１】
2005137818.tif 000013